(57)【要約】【課題】  データ信号の信号レベルに応じて電気光学素子の輝度を精度良く制御することができる電気光学装置、電気光学装置の駆動方法及び電子機器を提供する。【解決手段】  １走査線を選択する毎に電源電流Ｉｏをサンプリングして同電源電流Ｉｏに応じたデジタル値を有するデジタル電圧信号ＤＳに変換する輝度検出回路１５を備えた。そして、発光期間制御回路１６はそのデジタル電圧信号ＤＳに対応した発光期間調整信号Ｆに応じて発光期間制御信号Ｈ１〜Ｈｎを生成し、その発光期間制御信号Ｈ１〜Ｈｎを対応する制御信号供給線Ｇ１〜Ｇｎに出力するようにした。そして、対応する制御信号供給線Ｇ１〜Ｇｎに接続された画素２０の発光期間制御用トランジスタをオン・オフ制御することにより、電気光学素子の発光期間を制御するようにした。【選択図】      図２
2005099713.tif 000002
【特許請求の範囲】
【請求項１】
複数の走査線と、複数の信号線と、前記複数の走査線と前記複数の信号線との各々の交差部に対応する位置に配置された画素とを備え、前記画素には電源電圧が供給され前記信号線に供給されるアナログ信号の信号レベルに応じて駆動する能動素子及び該能動素子によって制御される駆動電流の電流レベルに応じて発光する電気光学素子が設けられてなる電気光学装置において、
前記電源電圧に応じた電流をデジタル値に変換してサンプリングする輝度検出回路を備えたことを特徴とする電気光学装置。
【請求項２】
複数の走査線と、複数の信号線と、前記複数の走査線と前記複数の信号線との各々の交差部に対応する位置に配置された画素とを備え、前記画素には電源電圧が供給され前記信号線に供給されるアナログ信号の信号レベルに応じて駆動する能動素子及び該能動素子によって制御される駆動電流の電流レベルに応じて発光する電気光学素子が設けられてなる電気光学装置において、
前記電気光学素子の輝度の変化に応じて前記電気光学素子の発光期間を制御する制御回路を備えたことを特徴とする電気光学装置。
【請求項３】
請求項１に記載の電気光学装置において、
前記輝度検出回路は、前記電源電圧に応じた電流をデジタル値に変換してサンプリングし、そのサンプリングした値に基づいて前記電気光学素子のピーク輝度を制御し、
前記サンプリングは前記走査線が選択される毎に行うようにしたことを特徴とする電気光学装置。
【請求項４】
請求項１に記載の電気光学装置において、
前記輝度検出回路は、前記電源電圧に応じた電流をデジタル値に変換してサンプリングし、そのサンプリングした値に基づいて前記電気光学素子のピーク輝度を制御し、
前記サンプリングは前記複数の走査線が選択された後に行うようにしたことを特徴とする電気光学装置。
【請求項５】
請求項１乃至４のいずれか一つに記載の電気光学装置において、
前記画素は、前記能動素子と前記電気光学素子とを電気的に接続するまたは遮断するスイッチング素子を備え、
前記スイッチング素子の電気的な接続または遮断は前記デジタル値に基づいて行われるようにしたことを特徴とする電気光学装置。
【請求項６】
請求項１乃至５のいずれか一つに記載の電気光学装置において、
前記輝度検出回路は、アナログ・デジタル変換回路と電圧増幅回路とを備えたことを特徴とする電気光学装置。
【請求項７】
請求項１乃至６のいずれか一つに記載の電気光学装置において、
前記制御回路は、前記デジタル値が所定の値以上または以下になった場合、そのデジタル値に基づいて前記電気光学素子のピーク輝度を制御するようにしたことを特徴とする電気光学装置。
【請求項８】
請求項１乃至７のいずれか一つに記載の電気光学装置において、
前記輝度検出回路は、前記電気光学素子の陽極側または陰極側に設けられていることを特徴とする電気光学装置。
【請求項９】
請求項１乃至８のいずれか一つに記載の電気光学装置において、
前記電気光学素子は、赤色発光を示す電気光学素子、緑色発光を示す電気光学素子及び青色発光を示す電気光学素子であり、
前記制御回路は、前記赤色発光を示す電気光学素子、緑色発光を示す電気光学素子及び青色発光を示す電気光学素子の発光期間を同じ比率で制御し、前記ピーク輝度を制御するようにしたことを特徴とする電気光学装置。
【請求項１０】
請求項１乃至９のいずれか一つに記載の電気光学装置において、
前記電気光学素子は、赤色発光を示す電気光学素子、緑色発光を示す電気光学素子及び青色発光を示す電気光学素子であり、
前記輝度検出回路は、前記各色の電気光学素子毎の前記電源電圧に応じた電流をそれぞれデジタル値に変換してサンプリングし、
前記制御回路は、前記サンプリングした前記各色の電気光学素子毎の前記電源電圧に応じた電流から白色を表示した場合の輝度を算出し、その算出した結果に基づいて前記各電気光学素子の発光期間を制御し、前記ピーク輝度を制御するようにしたことを特徴とする電気光学装置。
【請求項１１】
請求項１乃至１０のいずれか一つに記載の電気光学装置において、
前記画素が配置された表示パネル部を複数に区分し、
前記輝度検出回路は、前記区分された表示パネル部毎にその表示パネル部の電気光学素子に供給される前記電源電圧に応じた電流をデジタル値に変換してサンプリングし、
前記制御回路は、前記区分された表示パネル部毎にその表示パネル部の前記電気光学素子のピーク輝度を制御するようにしたことを特徴とする電気光学装置。
【請求項１２】
請求項１乃至１１のいずれか一つに記載の電気光学装置において、
前記電気光学素子は、その発光層が有機材料で構成されたエレクトロルミネッセンス素子であることを特徴とする電気光学装置。
【請求項１３】
複数の走査線と、複数の信号線と、前記複数の走査線と前記複数の信号線との各々の交差部に対応する位置に配置された画素とを備え、前記画素には電源電圧の電圧レベルに応じて駆動する能動素子及び該能動素子によって制御される駆動電流の電流レベルに応じて発光する電気光学素子が設けられてなる電気光学装置の駆動方法において、
前記電源電圧に応じた電流をデジタル値に変換してサンプリングする工程と、
前記サンプリングした値に基づいて前記電気光学素子のピーク輝度を制御する工程と
を備えたことを特徴とする電気光学装置の駆動方法。
【請求項１４】
複数の走査線と、複数の信号線と、前記複数の走査線と前記複数の信号線との各々の交差部に対応する位置に配置された画素とを備え、前記画素には電源電圧の電圧レベルに応じて駆動する能動素子及び該能動素子によって制御される駆動電流の電流レベルに応じて発光する電気光学素子が設けられてなる電気光学装置の駆動方法において、
前記電源電圧に応じた電流をデジタル値に変換してサンプリングする工程と、
前記サンプリングした値に基づいて前記電気光学素子の発光期間を制御してピーク輝度を調整する工程と
を備えたことを特徴とする電気光学装置の駆動方法。
【請求項１５】
請求項１３に記載の電気光学装置の駆動方法において、
前記電源電圧に応じた電流をデジタル値に変換してサンプリングする工程にて前記サンプリングは前記走査線が選択される毎に行うようにしたことを特徴とする電気光学装置の駆動方法。
【請求項１６】
請求項１３に記載の電気光学装置の駆動方法において、
前記電源電圧に応じた電流をデジタル値に変換してサンプリングする工程にて前記サンプリングは前記複数の走査線が選択された後に行うようにしたことを特徴とする電気光学装置の駆動方法。
【請求項１７】
請求項１乃至１２のいずれか一つに記載の電気光学装置を備えたことを特徴とする電子機器。
【発明の詳細な説明】
【技術分野】
【０００１】
本発明は、電気光学装置、電気光学装置の駆動方法及び電子機器に関するものである。
【背景技術】
【０００２】
近年、液晶素子、有機ＥＬ素子、電気泳動素子、電子放出素子といった電気光学素子を備えた電気光学装置としての表示ディスプレイが注目されている。
アクティブマトリクス駆動方式の表示ディスプレイの一つに、電気光学素子として有機ＥＬ素子を使用した有機ＥＬディスプレイがある。有機ＥＬディスプレイは、その有機ＥＬ素子が電流駆動素子であるので、ディスプレイの総発光量、つまり、各有機ＥＬ素子の輝度の合計が、各画素に供給される電源電流に比例する。従って、前記電源電流のレベルを制御することでディスプレイの総発光量を制御することができる。
【０００３】
たとえば、各有機ＥＬ素子の陰極に電源電流の電流レベルを制限する輝度制限回路を備えた有機ＥＬディスプレイが知られている。図８は、従来の有機ＥＬディスプレイの電気的構成図である。図８に示す有機ＥＬディスプレイ８０は、輝度制限回路８１を各画素８２に設けられた有機ＥＬ素子８３の陰極に備えている。輝度制限回路８１は抵抗素子Ｒｇで構成されている。
【０００４】
そして、例えば、データ線駆動回路８４から対応する画素８２に大きな信号レベルを有するデータ信号ＶＤが供給されると、前記信号レベルに対応した分だけ前記抵抗素子Ｒｇでの電位降下が大きくなる。各画素８２の駆動トランジスタＴｄのドレイン／ソース間電圧は前記抵抗素子Ｒｇでの電位降下が大きくなると小さくなるので、その分、電源電流Ｉｏの電流レベルが制限される。前記電源電流Ｉｏは各有機ＥＬ素子８３に供給される駆動電流に比例するので、電源電流Ｉｏが制限されると、その分、駆動電流Ｉｅｌの電流レベルも小さくなる。この結果、有機ＥＬ素子８３の輝度が小さくなる。
【０００５】
また、データ線駆動回路８４から有機ＥＬ素子８３に小さな信号レベルを有するデータ信号ＶＤが供給されると、前記信号レベルに対応した分だけ前記抵抗素子Ｒｇでの電位降下が小さくなる。従って、電源電流Ｉｏが制限されることなく、電源電圧ＶＯＥＬに応じて出力される。この結果、各画素８２の駆動トランジスタＴｄのドレイン／ソース間電圧が大きくなるので、その分、有機ＥＬ素子８３の輝度が大きくなる（特許文献１）。
【特許文献１】特開２００２−１３２２１８号公報
【発明の開示】
【発明が解決しようとする課題】
【０００６】
しかしながら、上記特許文献１に記載の発明においては、抵抗素子Ｒｇで輝度制限回路８１を構成している。この抵抗素子Ｒｇは線形特性を有する。そして、その抵抗素子Ｒｇで電源電流Ｉｏの電流レベルを制限するようにしているので、各駆動トランジスタＴｄの電圧−電流特性が崩れてしまう。その結果、有機ＥＬ素子８３の輝度をデータ信号ＶＤの信号レベルに応じて精度良く制御するのが困難になってしまう。
【０００７】
また、上記特許文献１に記載の発明においては、アナログ値である電源電流Ｉｏの電流レベルに応じて、各駆動トランジスタＴｄのドレイン／ソース間電圧を制御するようにしている。この結果、例えば、それぞれ異なった電源電圧で駆動する赤色、緑色及び青色用の画素を備えたフルカラー表示可能な有機ＥＬディスプレイにおいては、各駆動トランジスタＴｄのドレイン／ソース間電圧が、その色に関係なく一律に制御される。従って、色バランスが崩れてしまう問題がある。
【０００８】
さらに、有機ＥＬディスプレイ８０においては、ダイナミックに輝度を制御するには、前記抵抗素子Ｒｇの抵抗値をある程度大きくしなければならない。従って、消費電力が大きくなってしまう。
【０００９】
本発明は上記問題点を解消するためになされたものであって、その目的の一つは、データ信号の信号レベルに応じて電気光学素子の輝度を精度良く制御することができる電気光学装置、電気光学装置の駆動方法及び電子機器を提供することにある。
【課題を解決するための手段】
【００１０】
本発明の電気光学装置は、複数の走査線と、複数の信号線と、前記複数の走査線と前記複数の信号線との各々の交差部に対応する位置に配置された画素とを備え、前記画素には電源電圧が供給され前記信号線に供給されるアナログ信号の信号レベルに応じて駆動する能動素子及び該能動素子によって制御される駆動電流の電流レベルに応じて発光する電気光学素子が設けられてなる電気光学装置において、前記電源電圧に応じた電流をデジタル値に変換してサンプリングする輝度検出回路を備えた。
【００１１】
これによれば、電源電圧に応じた電流をサンプリングしてデジタル値に変換し、そのデジタル値に基づいて電気光学素子の輝度の変化を検出することができる。そして、このデジタル値に基づいて画素に流れる駆動電流の供給期間を制御することで、能動素子が例えば非線形特性を有する素子であっても、前記デジタル値に応じて能動素子の特性を崩すことなく精度良く制御することができる。このことから、電気光学素子の輝度を精度良く制御することができる電気光学装置を提供することができる。
【００１２】
本発明の電気光学装置は、複数の走査線と、複数の信号線と、前記複数の走査線と前記複数の信号線との各々の交差部に対応する位置に配置された画素とを備え、前記画素には電源電圧が供給され前記信号線に供給されるアナログ信号の信号レベルに応じて駆動する能動素子及び該能動素子によって制御される駆動電流の電流レベルに応じて発光する電気光学素子が設けられてなる電気光学装置において、前記電気光学素子の輝度の変化に応じて前記電気光学素子の発光期間を制御する制御回路を備えた。
【００１３】
これによれば、電気光学素子の輝度の変化に応じて画素に流れる駆動電流の供給期間を制御するようにしたので、電気光学素子の輝度が変化した際に、その変化分に応じて直ちに電気光学素子の発光期間を制御することができる。
【００１４】
この電気光学装置において、前記輝度検出回路は、前記電源電圧に応じた電流をデジタル値に変換してサンプリングし、そのサンプリングした値に基づいて前記電気光学素子のピーク輝度を制御し、前記サンプリングは前記走査線が選択される毎に行うようにしてもよい。
【００１５】
これによれば、１走査線を選択する毎にサンプリングするように設定することで、前記電源電流の変動に応じて直ちに輝度を制御することができる。
【００１６】
この電気光学装置において、前記輝度検出回路は、前記電源電圧に応じた電流をデジタル値に変換してサンプリングし、そのサンプリングした値に基づいて前記電気光学素子のピーク輝度を制御し、前記サンプリングは前記複数の走査線が選択された後に行うようにしてもよい。
これによれば、１走査線を選択する毎にサンプリングすることなく、複数の走査線が選択された後に、その後に選択される走査線に対応した電気光学素子の輝度を制御する。従って、１走査線を選択する毎にサンプリングする場合と比べてサンプリングの回数が減る
ので、その分、前記制御回路の負担を低下させることができる。
【００１７】
この電気光学装置において、前記画素は、前記能動素子と前記電気光学素子とを電気的に接続するまたは遮断するスイッチング素子を備え、前記スイッチング素子の電気的な接続または遮断は前記デジタル値に基づいて行われるようにしてもよい。
これによれば、前記デジタル値に基づいてスイッチング素子をオン・オフ制御することで電気光学素子の積分された輝度を精度良く制御することができる。
【００１８】
この電気光学装置において、前記輝度検出回路は、アナログ・デジタル変換回路と電圧増幅回路とを備えてもよい。
これによれば、例えば、電源電圧をその電源電圧に応じた電流に変換する電圧−電流変換手段での損失を小さくすることができるので、その分、消費電力を抑制することができる。従って、消費電力が小さな輝度検出回路を備えた電気光学装置を提供することができる。
【００１９】
この電気光学装置において、前記制御回路は、前記デジタル値が所定の値以上または以下になった場合、そのデジタル値に基づいて前記電気光学素子のピーク輝度を制御するようにしてもよい。
これによれば、たとえば、１走査線を選択する毎にサンプリングすることがないので、その分、前記制御回路の負担を低下させることができる。
【００２０】
この電気光学装置において、前記輝度検出回路は、前記電気光学素子の陽極側または陰極側に設けられていてもよい。
これによれば、輝度検出回路を電気光学素子の陽極側または陰極側に設けられていてもよい。従って、その分、電気光学装置のレイアウトを自由に行うことができる。
【００２１】
この電気光学装置において、前記電気光学素子は、赤色発光を示す電気光学素子、緑色発光を示す電気光学素子及び青色発光を示す電気光学素子であり、前記制御回路は、前記赤色発光を示す電気光学素子、緑色発光を示す電気光学素子及び青色発光を示す電気光学素子の発光期間を同じ比率で制御するようにしてもよい。
【００２２】
これによれば、例えば、赤色発光を示す電気光学素子、緑色発光を示す電気光学素子及び青色発光を示す電気光学素子を制御回路に接続され発光期間を制御する制御線に沿って配置した場合、その制御線に沿って配置された各色の電気光学素子の発光輝度が一斉に制御される。従って、この場合、例えば、各電気光学素子の赤、緑及び青色のバランスが崩れないように発光期間を制御するようにすることで、制御回路を各色毎に用意することなく、各色の電気光学素子の輝度を制御することが可能となる。
【００２３】
この電気光学装置において、前記電気光学素子は、赤色発光を示す電気光学素子、緑色発光を示す電気光学素子及び青色発光を示す電気光学素子であり、前記輝度検出回路は、前記各色の電気光学素子毎の前記電源電圧に応じた電流をそれぞれデジタル値に変換してサンプリングし、前記制御回路は、前記サンプリングした前記各色の電気光学素子毎の前記電源電圧に応じた電流から白色を表示した場合の輝度を算出し、その算出した結果に基づいて前記各電気光学素子の発光期間を制御し、前記ピーク輝度を制御するようにしもよい。
【００２４】
これによれば、赤色発光を示す電気光学素子、緑色発光を示す電気光学素子及び青色発光を示す電気光学素子毎の電源電圧に応じた電流を、それぞれ白色発光を示す電気光学素子の電源電圧に応じた電流に換算し、その換算した結果に基づいて各電気光学素子の発光期間を制御する。これにより、赤、緑及び青色のバランス（色バランス）を崩さないで各
電気光学素子の発光期間を制御することが可能となる。
【００２５】
この電気光学装置において、前記画素が配置された表示パネル部を複数に区分し、前記輝度検出回路は、前記区分された表示パネル部毎にその表示パネル部の電気光学素子に供給される前記電源電圧に応じた電流をデジタル値に変換してサンプリングし、前記制御回路は、前記区分された表示パネル部毎にその表示パネル部の前記電気光学素子のピーク輝度を制御するようにしてもよい。
【００２６】
これによれば、分割された表示パネル部毎にその表示パネル部の電気光学素子に供給される電源電圧に応じた電流をデジタル値に変換してサンプリングし、そのサンプリングした値に基づいてその各電気光学素子のピーク輝度が制御される。従って、例えば、複数の表示パネル部を貼り合わせて１枚の大型の表示パネル部を構成する電気光学装置においては、その各表示パネル部毎にその電気光学素子の発光期間を制御することが可能となる。
【００２７】
この電気光学装置において、前記電気光学素子は、その発光層が有機材料で構成されたエレクトロルミネッセンス素子であってもよい。
これによれば、電気光学素子が有機ＥＬ素子である電気光学装置の輝度制御を精度良く行うことができる。
【００２８】
本発明の電気光学装置の駆動方法は、複数の走査線と、複数の信号線と、前記複数の走査線と前記複数の信号線との各々の交差部に対応する位置に配置された画素とを備え、前記画素には電源電圧の電圧レベルに応じて駆動する能動素子及び該能動素子によって制御される駆動電流の電流レベルに応じて発光する電気光学素子が設けられてなる電気光学装置の駆動方法において、前記電源電圧に応じた電流をデジタル値に変換してサンプリングする工程と、前記サンプリングした値に基づいて前記電気光学素子のピーク輝度を制御する工程とを備えた。
【００２９】
これによれば、電源電圧に応じた電流をサンプリングしてデジタル値に変換し、そのデジタル値に基づいて画素に流れる駆動電流の電流レベルを制御するようにしたので、能動素子が例えば非線形特性を有する素子であっても、前記デジタル値に応じて能動素子の特性を崩すことなく精度良く制御することができる。
【００３０】
本発明の電気光学装置の駆動方法は、複数の走査線と、複数の信号線と、前記複数の走査線と前記複数の信号線との各々の交差部に対応する位置に配置された画素とを備え、前記画素には電源電圧の電圧レベルに応じて駆動する能動素子及び該能動素子によって制御される駆動電流の電流レベルに応じて発光する電気光学素子が設けられてなる電気光学装置の駆動方法において、前記電源電圧に応じた電流をデジタル値に変換してサンプリングする工程と、前記サンプリングした値に基づいて前記電気光学素子の発光期間を制御してピーク輝度を調整する工程とを備えた。
【００３１】
これによれば、電気光学素子の輝度の変化に応じて画素に流れる駆動電流の発光供給期間を制御するようにしたので、電気光学素子の輝度の変化した際に、その変化分に応じて直ちに電気光学素子の発光期間を制御することができる。
【００３２】
この電気光学装置の駆動方法において、前記電源電圧に応じた電流をデジタル値に変換してサンプリングする工程にて前記サンプリングは前記走査線が選択される毎に行うようにしてもよい。
【００３３】
これによれば、１走査線を選択する毎にサンプリングするように設定することで、前記電源電流の変動に応じて直ちに電気光学素子の積分された輝度を制御することができる。
この電気光学装置の駆動方法において、前記電源電圧に応じた電流をデジタル値に変換してサンプリングする工程にて前記サンプリングは前記複数の走査線が選択された後に行うようにしてもよい。
【００３４】
これによれば、１走査線を選択する毎にサンプリングすることなく、複数の走査線が選択された後に、その後に選択される走査線に対応した電気光学素子の積分された輝度を制御することができる。従って、１走査線を選択する毎にサンプリングする場合と比べてサンプリングの回数が減るので、その分、輝度検出回路の負担を低下させることができる。
【００３５】
本発明の電子機器は、上記記載の電気光学装置を備えている。
これによれば、その輝度の制御が精度良く制御することでその表示品位が向上した電子機器を提供することができる。
【発明を実施するための最良の形態】
【００３６】
以下、本発明を有機エレクトロルミネッセンスディスプレイに適用した各実施形態を図面に基づいて説明する。また、各実施形態は、本発明の一態様を示すものであり、この発明を限定するものではなく、本発明の技術思想の範囲内で任意に変更可能である。さらに、以下に示す各図においては、各層や各部材を図面上で認識可能な程度の大きさとするため、各層や各部材ごとに縮尺を異ならせてある。
（第１実施形態）
以下、本発明を具体化した第１実施形態を図１〜図４に従って説明する。図１は、有機ＥＬディスプレイの電気的構成を示すブロック図である。図２は、有機ＥＬディスプレイの回路構成図である。
【００３７】
有機ＥＬディスプレイ１０は、図１に示すように、制御回路１１、表示パネル部１２、走査線駆動回路１３、データ線駆動回路１４、輝度検出回路１５及び発光期間制御回路１６を備えている。有機ＥＬディスプレイ１０の制御回路１１、走査線駆動回路１３、データ線駆動回路１４、輝度検出回路１５及び発光期間制御回路１６は、それぞれが独立した電子部品によって構成されていてもよい。例えば、制御回路１１、走査線駆動回路１３、データ線駆動回路１４、輝度検出回路１５及び発光期間制御回路１６が、各々１チップの半導体集積回路装置によって構成されていてもよい。また、制御回路１１、走査線駆動回路１３、データ線駆動回路１４、輝度検出回路１５及び発光期間制御回路１６の全部若しくは一部がプログラマブルなＩＣチップで構成され、その機能がＩＣチップに書き込まれたプログラムによりソフトウェア的に実現されてもよい。
【００３８】
制御回路１１は、クロックパルスＣＰ及び画像デジタルデータＤを入力する。制御回路１１は、クロックパルスＣＰに基づいて表示パネル部１２に画像を表示させるタイミングを決定するための水平同期信号ＨＳＹＮＣ及び垂直同期信号ＶＳＹＮＣを生成する。そして、制御回路１１は、前記水平同期信号ＨＳＹＮＣ及び垂直同期信号ＶＳＹＮＣを走査線駆動回路１３に出力するとともに、前記水平同期信号ＨＳＹＮＣをデータ線駆動回路１４に出力する。また、制御回路１１は、前記画像デジタルデータＤを入力し、その入力された画像デジタルデータＤをデータ線駆動回路１４に出力する。
【００３９】
さらに、制御回路１１は、クロックパルスＣＰに基づいたタイミングで電源電流Ｉｏ（図２参照）をサンプリングして、その電流レベルを測定するためのタイミングを決定する電流測定信号Ｍを生成する。そして、制御回路１１はその生成した電流測定信号Ｍを所定のタイミングで輝度検出回路１５に出力する。本実施形態においては、制御回路１１は電流測定信号Ｍを輝度検出回路１５に１走査線を選択する毎に出力するように設定されている。
【００４０】
また、制御回路１１は、輝度検出回路１５から出力されるデジタル電圧信号ＤＳを入力する。このデジタル電圧信号ＤＳは、電源電流Ｉｏの電流レベルに応じた電圧である。そして、制御回路１１は前記デジタル電圧信号ＤＳに基づいて有機ＥＬ素子ＯＬＥＤ（図２参照）の発光期間を決定する旨の発光期間調整信号Ｆを生成し、その生成した発光期間調整信号Ｆを発光期間制御回路１６に出力する。
【００４１】
表示パネル部１２は、図２に示すように、その行方向に沿って延設されたｎ本の走査線Ｙ１，Ｙ２，…，Ｙｎ（ｎは自然数）を備えている。また、表示パネル部１２は、列方向に沿って延設されたｍ本のデータ線Ｘ１，Ｘ２，…，Ｘｍ（ｍは自然数）を備えている。そして、各走査線Ｙ１〜Ｙｎと各データ線Ｘ１〜Ｘｍとの交差部に対応する位置には画素２０が配置されている。
【００４２】
各画素２０は、対応するデータ線Ｘ１〜Ｘｍに接続し、同データ線Ｘ１〜Ｘｍを介してデータ線駆動回路１４に電気的に接続されている。また、各画素２０は、対応する走査線Ｙ１〜Ｙｎに接続し、同走査線Ｙ１〜Ｙｎを介して走査線駆動回路１３に電気的に接続されている。
【００４３】
また、表示パネル部１２は、前記走査線Ｙ１〜Ｙｎに並行に延設されたｎ本の電源線Ｌｖを備えている。各電源線Ｌｖは対応する一行の画素２０の各々に接続されている。この電源線Ｌｖは各々互いに接続されるとともに、共通して測定用抵抗素子Ｒｖに接続されている。測定用抵抗素子Ｒｖには電源電圧ＶＯＥＬが供給されるようになっている。従って、各画素２０には測定用抵抗素子Ｒｖ及び電源線Ｌｖを介して電源電圧ＶＯＥＬが供給される。そして、測定用抵抗素子Ｒｖには、アナログ信号である電源電流Ｉｏが流れる。この電源電流Ｉｏは、全ての有機ＥＬ素子ＯＬＥＤに流れる駆動電流Ｉｅｌの電流レベルの総和に等しい。また、有機ＥＬ素子ＯＬＥＤは、所謂、電流駆動素子であって、その輝度は駆動電流Ｉｅｌの電流レベルに比例する。従って、電源電流Ｉｏの電流レベルは、有機ＥＬディスプレイ１０の総発光量、つまり、各有機ＥＬ素子ＯＬＥＤの輝度の合計に比例する。
【００４４】
前記測定用抵抗素子Ｒｖは前記電源電流Ｉｏの電流レベルを電圧信号に変換するための抵抗素子である。従って、例えば、各有機ＥＬ素子ＯＬＥＤを最大輝度で発光させた場合、それに伴って電源電流Ｉｏの電流レベルも大きくなる。その結果、測定用抵抗素子Ｒｖでの電位降下が大きくなるので、測定用抵抗素子Ｒｖにて変換される電圧信号の電圧レベルは大きくなる。また、例えば、各有機ＥＬ素子ＯＬＥＤを発光させない場合、それに伴って電源電流Ｉｏの電流レベルは小さくなる。その結果、測定用抵抗素子Ｒｖでの電位降下は小さくなるため、測定用抵抗素子Ｒｖにて変換された電圧信号は小さくなる。
【００４５】
さらに、表示パネル部１２は、前記各走査線Ｙ１〜Ｙｎに並行に延設されたｎ本の共通グランドラインＬｇを備えている。各共通グランドラインＬｇは対応する一行の画素２０の各々に接続されている。また、各共通グランドラインＬｇは互いに接続されるとともに接地されている。
【００４６】
また、表示パネル部１２は、前記走査線Ｙ１〜Ｙｎに並行に延設されたｎ本の制御信号供給線Ｇ１，Ｇ２，…，Ｇｎを備えている。各制御信号供給線Ｇ１〜Ｇｎは対応する一行の画素２０の各々に接続されている。また、各制御信号供給線Ｇ１〜Ｇｎは発光期間制御回路１６に接続されている。
【００４７】
図３は、走査線Ｙ１〜Ｙｎのうちのｎ番目の走査線Ｙｎと、データ線Ｘ１〜Ｘｍのうちのｍ番目のデータ線Ｘｍとの交差部に対応する位置に備えられた画素２０の等価回路図である。尚、この画素２０の電気的構成は他の走査線とデータ線との交差部に対応する位置
に備えられた画素と同じである。従って、説明の便宜上、ｎ番目の走査線Ｙｎとｍ番目のデータ線Ｘｍとの交差部に対応する位置に備えられた画素についてのみ以下に説明し、他の走査線とデータ線との交差部に対応する位置に備えられた画素についてはその説明を省略する。
【００４８】
本実施形態における画素２０は、スイッチングトランジスタＱｓｗ、駆動トランジスタＱｄ、有機ＥＬ素子ＯＬＥＤ、保持キャパシタＣｏ及び発光期間制御用トランジスタＱｃを備えている。
【００４９】
スイッチングトランジスタＱｓｗは、そのゲートがｎ番目の走査線Ｙｎに接続され、走査線駆動回路１３から出力される走査信号ＳＣｎに応じてオン・オフ制御される。スイッチングトランジスタＱｓｗは、本実施形態においては、その導電型がＮ型である。また、スイッチングトランジスタＱｓｗは、本実施形態においては、ＴＦＴ（Ｔｈｉｎ  Ｆｉｌｍ  Ｔｒａｎｓｉｓｔｏｒ）で構成されている。そして、走査線Ｙｎを介してＨレベルの走査信号ＳＣｎが入力されると、スイッチングトランジスタＱｓｗがオン状態になる。すると、同スイッチングトランジスタＱｓｗを介してｍ番目のデータ線Ｘｍに供給されるデータ信号ＶＤｍが保持キャパシタＣｏに供給されるようになっている。この結果、保持キャパシタＣｏには、データ信号ＶＤｍの電圧レベルに応じた電荷量が保持される。
【００５０】
駆動トランジスタＱｄは、そのソースが前記電源線Ｌｖに接続され、同駆動トランジスタＱｄのソース／ドレイン間に電源電圧ＶＯＥＬが供給される。また、駆動トランジスタＱｄのソース／ゲート間には前記保持キャパシタＣｏが接続されている。従って、駆動トランジスタＱｄのソース／ドレイン間には前記保持キャパシタＣｏに保持された電荷量に応じた電流レベルを有する駆動電流Ｉｅｌが流れる。
【００５１】
有機ＥＬ素子ＯＬＥＤは、その発光層が有機材料で構成されたＥＬ（エレクトロルミネッセンス）素子である。有機ＥＬ素子ＯＬＥＤの陰極Ｅ２は前記共通グランドラインＬｇに接続されている。また、有機ＥＬ素子ＯＬＥＤの陽極Ｅ１と前記駆動トランジスタＱｄのドレインとの間には発光期間制御用トランジスタＱｃが設けられている。
【００５２】
発光期間制御用トランジスタＱｃは、そのゲートがｎ番目の制御信号供給線Ｇｎに接続されている。発光期間制御用トランジスタＱｃは、本実施形態においては、その導電型がＮ型である。従って、発光期間制御用トランジスタＱｃは、そのゲートにＨレベルの発光期間制御信号Ｈｎが入力されるとオン状態になる。そして、前記駆動トランジスタＱｄのドレインと有機ＥＬ素子ＯＬＥＤの陽極Ｅ１とが電気的に接続される。この結果、前記駆動トランジスタＱｄのソース／ドレイン間に流れる駆動電流Ｉｅｌが前記有機ＥＬ素子ＯＬＥＤに供給される。すると、有機ＥＬ素子ＯＬＥＤが、その駆動電流Ｉｅｌの電流レベルに応じた輝度で発光することになる。
【００５３】
また、発光期間制御用トランジスタＱｃは、そのゲートにＬレベルの発光期間制御信号Ｈｎが入力されるとオフ状態になり、前記駆動トランジスタＱｄのドレインと有機ＥＬ素子ＯＬＥＤの陽極Ｅ１とが電気的に切断される。この結果、前記駆動トランジスタＱｄのソース／ドレイン間に流れる駆動電流Ｉｅｌが前記有機ＥＬ素子ＯＬＥＤに供給されなくなる。このように、発光期間制御用トランジスタＱｃのゲートにＨレベルまたはＬレベルの発光期間制御信号Ｈｎを供給することで有機ＥＬ素子ＯＬＥＤの発光期間を制御することができる。
【００５４】
走査線駆動回路１３は、走査信号ＳＣ１，ＳＣ２，…，ＳＣｎを生成する。各走査信号ＳＣ１〜ＳＣｎはそれぞれ、図４に示すような、論理的にＬレベルまたはＨレベルを有する電圧信号である。また、走査線駆動回路１３は前記水平同期信号ＨＳＹＮＣに従って、
Ｈレベルの走査信号を出力することで走査線Ｙ１〜ＹｎをＹ１→Ｙ２→Ｙ３…→Ｙｎ→Ｙ１の順に線順次選択駆動する。
【００５５】
データ線駆動回路１４は、図２に示すように、ｍ個の単一ラインドライバ１４ａを備えている。各単一ラインドライバ１４ａは、前記データ線Ｘ１〜Ｘｍを介して対応する１列の画素２０の各々に接続されている。各単一ラインドライバ１４ａは、制御回路１１から出力される画像デジタルデータＤをアナログ電圧信号であるデータ信号ＶＤ１，ＶＤ２，…，ＶＤｍに変換する。そして、各単一ラインドライバ１４ａは、データ線Ｘ１〜Ｘｍを介して対応する画素２０に出力する。
【００５６】
輝度検出回路１５は、本実施形態においては、各有機ＥＬ素子ＯＬＥＤの陽極Ｅ１（図３参照）側に設けられている。輝度検出回路１５は、図２に示すように、増幅器３１とＡ／Ｄ変換回路３２とを備えている。増幅器３１はその入力端子が前記測定用抵抗素子Ｒｖの陰極側に接続されている。増幅器３１の出力端子はＡ／Ｄ変換回路３２に接続されている。Ａ／Ｄ変換回路３２は、所謂、電圧出力型アナログ・デジタル変換回路である。
【００５７】
増幅器３１は、測定用抵抗素子Ｒｖによる電源電圧ＶＯＥＬの電圧降下分の電圧Ｖｒを入力する。この電圧Ｖｒは、前記したように、前記測定用抵抗素子Ｒｖにて変換された電源電流Ｉｏに対応した大きさの電圧レベルを有するアナログ電圧信号である。
【００５８】
そして、増幅器３１は、その電圧Ｖｒを所定の大きさに増幅し、その増幅された前記電圧Ｖｒを次段のＡ／Ｄ変換回路３２に供給する。そして、全ての画素２０に流れる駆動電流Ｉｅｌの電流レベルが大きい場合は、前記電圧Ｖｒの電圧レベルは大きくなる。また、全ての画素２０に流れる駆動電流Ｉｅｌの電流レベルが小さい場合は、前記電圧Ｖｒの電圧レベルは小さくなる。
【００５９】
Ａ／Ｄ変換回路３２は、前記電圧Ｖｒをデジタル値に変換することでデジタル電圧信号ＤＳを作成する。つまり、デジタル電圧信号ＤＳは前記電圧Ｖｒの電圧レベルに対応した大きさのデジタル信号である。
【００６０】
そして、輝度検出回路１５は、そのデジタル電圧信号ＤＳを前記制御回路１１から出力される電流測定信号Ｍのタイミングで制御回路１１に出力する。このようにすることで、前記制御回路１１は、有機ＥＬディスプレイ１０の総発光量、つまり、各有機ＥＬ素子ＯＬＥＤの積分された輝度の合計を認識することができる。
【００６１】
発光期間制御回路１６は、前記制御回路１１から出力される発光期間調整信号Ｆを入力する。この発光期間調整信号Ｆは、前記したように、前記デジタル電圧信号ＤＳに基づいた信号である。発光期間制御回路１６は、発光期間調整信号Ｆに基づいて発光期間制御信号Ｈ１，Ｈ２，…，Ｈｎを生成する。この発光期間制御信号Ｈ１〜Ｈｎはそれぞれ、図４に示すような、論理的にＨレベルまたはＬレベルを有する電圧信号である。そして、発光期間制御回路１６は、発光期間制御信号Ｈ１〜Ｈｎを対応する制御信号供給線Ｇ１〜Ｇｎに出力する。
【００６２】
詳述すると、前記発光期間調整信号Ｆは、発光期間制御信号Ｈ１〜Ｈｎの立下りのタイミングを決定するための信号である。そして、例えば、制御回路１１が、選択された画素２０の各有機ＥＬ素子ＯＬＥＤに流れる駆動電流Ｉｅｌの電流レベルが大きい場合に対応したデジタル電圧信号ＤＳを入力したときは、発光期間調整信号Ｆは、発光期間制御信号Ｈ１〜Ｈｎの立下りのタイミングを早くさせる旨の信号となる。そして、発光期間制御回路１６は、その発光期間調整信号Ｆに基づいて、その立下りのタイミングが早い、つまり、発光デューティー比が小さな発光期間制御信号Ｈ１〜Ｈｎを生成し対応する制御信号供
給線Ｇ１〜Ｇｎに出力する。
【００６３】
この結果、対応する制御信号供給線Ｇ１〜Ｇｎに接続された発光期間制御用トランジスタＱｃが前記発光期間制御信号Ｈ１〜Ｈｎに応じた小さな発光デューティー比でオン・オフ制御されることで、その選択された画素２０の各有機ＥＬ素子ＯＬＥＤの発光期間が短くなる。従って、その分、その選択された画素２０の各有機ＥＬ素子ＯＬＥＤの積分された輝度は小さくなる。このようにして各有機ＥＬ素子ＯＬＥＤのピーク輝度が制御される。
【００６４】
また、制御回路１１が、選択された画素２０の各有機ＥＬ素子ＯＬＥＤに流れる駆動電流Ｉｅｌの電流レベルが小さい場合に対応したデジタル電圧信号ＤＳを入力したときは、発光期間調整信号Ｆは、発光期間制御信号Ｈ１〜Ｈｎの立下りのタイミングを遅らせる旨の信号となる。そして、発光期間制御回路１６は、その発光期間調整信号Ｆに基づいてその立下りが遅い、つまり、発光デューティー比が大きな発光期間制御信号Ｈ１〜Ｈｎを生成し対応する制御信号供給線Ｇ１〜Ｇｎに出力する。つまり、発光期間制御回路１６から出力される発光期間制御信号Ｈ１〜ＨｎのＨレベルの期間はデータ信号ＶＤ１〜ＶＤｍの電圧レベルの総和に対応する。
【００６５】
この結果、対応する制御信号供給線Ｇ１〜Ｇｎに接続された発光期間制御用トランジスタＱｃが前記発光期間制御信号Ｈ１〜Ｈｎに応じた大きな発光デューティー比でオン・オフ制御されることで、その選択された画素２０の各有機ＥＬ素子ＯＬＥＤの発光期間が長くなる。従って、その分、その選択された画素２０の有機ＥＬ素子ＯＬＥＤの積分された輝度が大きくなる。このようにして各有機ＥＬ素子ＯＬＥＤのピーク輝度が制御される。
【００６６】
前記のようにして、発光期間制御回路１６は、選択された画素２０の各有機ＥＬ素子ＯＬＥＤに流れる駆動電流Ｉｅｌの電流レベルに応じて各有機ＥＬ素子ＯＬＥＤの発光期間を制御することができる。
【００６７】
このように構成された有機ＥＬディスプレイ１０は、１走査線を選択する毎に前記電源電流Ｉｏをサンプリングして同電源電流Ｉｏに応じたデジタル値を有するデジタル電圧信号ＤＳに変換する輝度検出回路１５を備えた。そして、発光期間制御回路１６はその時々のデジタル電圧信号ＤＳに対応した発光期間調整信号Ｆに応じて発光期間制御信号Ｈ１〜Ｈｎを生成し、その発光期間制御信号Ｈ１〜Ｈｎを対応する制御信号供給線Ｇ１〜Ｇｎに出力するようにした。そして、対応する制御信号供給線Ｇ１〜Ｇｎに接続された各画素２０の発光期間制御用トランジスタＱｃがオン・オフ制御されるようにした。この結果、画素２０の各有機ＥＬ素子ＯＬＥＤの発光期間を制御することができる。
【００６８】
従って、例えば、有機ＥＬディスプレイ１０が、走査線Ｙ１〜Ｙｎが延設された方向に沿って赤色発光を示す電気光学素子、緑色発光を示す電気光学素子及び青色発光を示す電気光学素子を備えるフルカラー表示可能なものである場合、各制御信号供給線に接続された赤、緑及び青色発光を示す各電気光学素子毎にその発光輝度が一斉に制御される。即ち、各赤色、緑色及び青色を示す電気光学素子の発光期間は、同じ比率で制御されることとなる。そして、例えば、制御回路は、各電気光学素子の赤、緑及び青色のバランス（色バランス）が崩れないように発光期間を制御するようにする。このようにすることで、制御回路を各色毎に用意することなく、各色の電気光学素子の輝度を制御することができる。
【００６９】
また、このとき、本実施形態では、輝度検出回路１５は１走査線を選択する毎に前記電源電流Ｉｏをサンプリングしデジタル電圧信号ＤＳを生成するので、前記電源電流Ｉｏの変動に応じて直ちに有機ＥＬ素子ＯＬＥＤの積分された輝度を制御することができる。さらに、デジタル電圧信号ＤＳに基づいて各有機ＥＬ素子ＯＬＥＤの発光期間を制御するの
で、各駆動トランジスタＱｄの電圧−電流特性が崩れてしまうことはない。その結果、有機ＥＬ素子ＯＬＥＤの輝度をデータ信号ＶＤ１〜ＶＤｍの信号レベルに応じて精度良く制御することができる。
【００７０】
また、本実施形態においては、増幅器３１とＡ／Ｄ変換回路３２とで輝度検出回路１５を構成した。従って、前記測定用抵抗素子Ｒｖでの損失を小さくすることができるので、その分、消費電力を抑制することができる。
【００７１】
次に、このように構成された有機ＥＬディスプレイ１０の駆動方法について図４に従って説明する。図４は、本実施形態の有機ＥＬディスプレイ１０の駆動方法を説明するためのタイミングチャートである。尚、以下説明を簡単にするために４本の走査線Ｙ１〜Ｙ４を備えた有機ＥＬディスプレイについて説明する。
【００７２】
まず、走査線駆動回路１３が第１の走査線Ｙ１にＨレベルの走査信号ＳＣ１を出力する。そして、このタイミングで前記データ線駆動回路１４の単一ラインドライバ１４ａからデータ信号ＶＤ１〜ＶＤｍが出力される。このとき、データ信号ＶＤ１〜ＶＤｍの電圧レベルは全て「０」とする。従って、第１の走査線Ｙ１に接続されたｍ個の画素２０の保持キャパシタＣｏには電荷が保持されない。
【００７３】
その後、走査線駆動回路１３が第１の走査線Ｙ１にＬレベルの走査信号ＳＣ１を出力する。この結果、第１の走査線Ｙ１に接続されたｍ個の画素２０へのデータ信号ＶＤ１〜ＶＤｍの書き込みが終了する。続いて、制御回路１１から輝度検出回路１５に電流測定信号Ｍが出力される。このとき、前記したように、データ信号ＶＤ１〜ＶＤｍの電圧レベルは全て「０」なので、選択された画素２０の各有機ＥＬ素子ＯＬＥＤに流れる駆動電流Ｉｅｌの電流レベルはほぼ「０」になる。
【００７４】
従って、制御回路１１は、第１の発光期間制御信号Ｈ１の立下りのタイミングを遅らせる旨の発光期間調整信号Ｆを生成し、その発光期間調整信号Ｆを発光期間制御回路１６に出力する。この結果、発光期間制御回路１６は、その発光期間調整信号Ｆに基づいてその立下りが遅い、つまり、発光デューティー比が大きな発光期間制御信号Ｈ１を生成し第１の制御信号供給線Ｇ１に出力する。この第１の発光期間制御信号Ｈ１は、本実施形態においては、図４に示すように、１フレーム終了後、再度第１の走査線Ｙ１に接続された画素２０が選択されるときに立ち下がる発光期間制御信号である。このようにして、第１の走査線Ｙ１に接続された画素２０の発光期間が決定される。
【００７５】
続いて、走査線駆動回路１３が第２の走査線Ｙ２にＨレベルの走査信号ＳＣ２を出力する。そして、このタイミングで前記各単一ラインドライバ１４ａからデータ信号ＶＤ１〜ＶＤｍが出力される。このとき、データ信号ＶＤ１〜ＶＤｍの電圧レベルは全て「０」とする。従って、第２の走査線Ｙ２に接続されたｍ個の画素２０の保持キャパシタＣｏには電荷が保持されない。
【００７６】
その後、走査線駆動回路１３が第２の走査線Ｙ２にＬレベルの走査信号ＳＣ２を出力する。この結果、第２の走査線Ｙ２に接続されたｍ個の画素２０へのデータ信号ＶＤ１〜ＶＤｍの書き込みが終了する。続いて、制御回路１１から輝度検出回路１５に電流測定信号Ｍが出力される。このとき、前記したように、データ信号ＶＤ１〜ＶＤｍの電圧レベルは全て「０」なので、選択された画素２０の各有機ＥＬ素子ＯＬＥＤに流れる駆動電流Ｉｅｌの電流レベルはほぼ「０」になる。
【００７７】
従って、制御回路１１は、第２の発光期間制御信号Ｈ２の立下りのタイミングを遅らせる旨の発光期間調整信号Ｆを生成し、その発光期間調整信号Ｆを発光期間制御回路１６に
出力する。この結果、発光期間制御回路１６は、その発光期間調整信号Ｆに基づいてその立下りが遅い、つまり、発光デューティー比が大きな発光期間制御信号Ｈ２を生成し第２の制御信号供給線Ｇ２に出力する。この第２の発光期間制御信号Ｈ２は、前記第１のフレーム期間Ｔ１と同様に、再度第２の走査線Ｙ２に接続された画素が選択されるときに立ち下がる発光期間制御信号である。このようにして、第２の走査線Ｙ２に接続された画素２０の発光期間が決定される。
【００７８】
以下、同様にして、第３の走査線Ｙ３及び第４の走査線Ｙ４に対しても順次、Ｈレベルの走査信号ＳＣ３，ＳＣ４を順次出力する。そして、第３の走査線Ｙ３及び第４の走査線Ｙ４が選択される毎にその電圧レベルが全て「０」であるデータ信号ＶＤ１〜ＶＤｍが出力される。そして、前記と同様に、第３及び第４の走査線Ｙ３，Ｙ４に接続された各画素２０の発光期間が決定される。そして、第１のフレーム期間Ｔ１での各有機ＥＬ素子ＯＬＥＤの積分された輝度が制御される。
【００７９】
その後、次の第２のフレーム期間Ｔ２になり、第１の走査線Ｙ１〜第４の走査線Ｙ４に対して順次、Ｈレベルの走査信号ＳＣ１〜ＳＣ４を順次出力する。そして、第１の走査線Ｙ１〜第４の走査線Ｙ４が選択される毎に電圧レベルが全て「０」であるデータ信号ＶＤ１〜ＶＤｍが出力される。
【００８０】
そして、各走査線Ｙ１〜Ｙ４が選択された後毎に、前記と同様にして制御回路１１から輝度検出回路１５に電流測定信号Ｍが出力され、第１〜第４の発光期間制御信号Ｈ１〜Ｈ４の立下りのタイミングがそれぞれ決定される。そして、前記と同様に、第１〜第４の走査線Ｙ１〜Ｙ４に接続された各画素２０の発光期間制御用トランジスタＱｃのオンされる期間が決定される。このようにすることで、前記第１のフレーム期間Ｔ１と同様にして各有機ＥＬ素子ＯＬＥＤの輝度が制御される。
【００８１】
その後、第３のフレーム期間Ｔ３になり、走査線駆動回路１３が再び第１の走査線Ｙ１にＨレベルの走査信号ＳＣ１を出力する。そして、このタイミングで前記各単一ラインドライバ１４ａからデータ信号ＶＤ１〜ＶＤｍが出力される。このとき、データ信号ＶＤ１〜ＶＤｍの電圧レベルは全て０ではない所定のレベルを有するものとする。従って、第１の走査線Ｙ１に接続されたｍ個の画素２０には、データ信号ＶＤ１〜ＶＤｍの書き込みが行われ、データ信号ＶＤ１〜ＶＤｍの電圧レベルに応じた電荷が保持キャパシタＣｏに保持される。
【００８２】
その後、走査線駆動回路１３が第１の走査線Ｙ１にＬレベルの走査信号ＳＣ１を出力する。この結果、第１の走査線Ｙ１に接続されたｍ個の画素２０へのデータ信号ＶＤ１〜ＶＤｍの書き込みが終了する。すると、第１の走査線Ｙ１に接続されたｍ個の画素２０の駆動トランジスタＱｄのドレイン／ソース間には前記保持キャパシタＣｏに保持された電荷量に応じた電流レベルを有する駆動電流Ｉｅｌが流れて有機ＥＬ素子ＯＬＥＤが発光する。
【００８３】
続いて、制御回路１１から輝度検出回路１５に電流測定信号Ｍが出力される。このとき、データ信号ＶＤ１〜ＶＤｍの電圧レベルは全て前記した所定のレベルを有しているので、電源電流Ｉｏの電流レベルはそのレベルに応じて大きくなる。従って、制御回路１１は、前記第１及び第２のフレームでの立下りのタイミングより早いタイミングでＬレベルに立下る旨の発光期間調整信号Ｆを生成し、その発光期間調整信号Ｆを発光期間制御回路１６に出力する。
【００８４】
すると、発光期間制御回路１６は、その発光期間調整信号Ｆに基づいてその立下りが早い、つまり、発光デューティー比が小さい発光期間制御信号Ｈ１を生成し第１の制御信号
供給線Ｇ１に出力する。この第１の発光期間制御信号Ｈ１は、図４に示すように、１フレーム期間より短いタイミングＴ３１で立ち下がる発光期間制御信号である。この結果、その分、第１の走査線Ｙ１に接続された画素２０の各有機ＥＬ素子ＯＬＥＤの積分された輝度が小さくなる。
【００８５】
その後、走査線駆動回路１３が第２の走査線Ｙ２にＨレベルの走査信号ＳＣ２を出力する。そして、このタイミングで前記各単一ラインドライバ１４ａからデータ信号ＶＤ１〜ＶＤｍが出力される。このときのデータ信号ＶＤ１〜ＶＤｍの電圧レベルは全て前記第１の走査線Ｙ１に接続された各画素２０に供給されたデータ信号ＶＤ１〜ＶＤｍの電圧レベルと等しく０ではない所定のレベル有するものとする。従って、第２の走査線Ｙ２に接続されたｍ個の画素２０には、データ信号ＶＤ１〜ＶＤｍの書き込みが行われ、データ信号ＶＤ１〜ＶＤｍの電圧レベルに応じた電荷が保持キャパシタＣｏに保持される。
【００８６】
その後、走査線駆動回路１３が第２の走査線Ｙ２にＬレベルの走査信号ＳＣ２を出力する。この結果、第２の走査線Ｙ２に接続されたｍ個の画素２０へのデータ信号ＶＤ１〜ＶＤｍの書き込みが終了する。すると、第２の走査線Ｙ２に接続されたｍ個の画素２０の駆動トランジスタＱｄのドレイン／ソース間には前記保持キャパシタＣｏに保持された電荷量に応じた電流レベルを有する駆動電流Ｉｅｌが流れて有機ＥＬ素子ＯＬＥＤが発光する。
【００８７】
続いて、制御回路１１から輝度検出回路１５に電流測定信号Ｍが出力される。このとき、データ信号ＶＤ１〜ＶＤｍの電圧レベルは全て前記した所定のレベルを有しているので、電源電流Ｉｏの電流レベルはそのレベルに応じてさらに大きくなる。また、電源電流Ｉｏの電流レベルは、第１の走査線Ｙ１に接続された画素２０の各有機ＥＬ素子ＯＬＥＤに流れる駆動電流Ｉｅｌに、この第２の走査線Ｙ２に接続された画素２０の各有機ＥＬ素子ＯＬＥＤに流れる駆動電流Ｉｅｌが加えられた電流レベルとなる。
【００８８】
従って、制御回路１１は、先に出力した発光期間調整信号Ｆよりさらに短い期間でＬレベルに立下る旨の発光期間調整信号Ｆを生成し、その発光期間調整信号Ｆを発光期間制御回路１６に出力する。そして、発光期間制御回路１６は、その発光期間調整信号Ｆに基づいてその立下りが早い、つまり、発光デューティー比が小さい発光期間制御信号Ｈ２を生成し第２の制御信号供給線Ｇ２に出力する。この第２の発光期間制御信号Ｈ２は、図４に示すように、１フレーム期間より更に短いタイミングＴ３２で立ち下がる発光期間制御信号である。このようにして、第２の走査線Ｙ２に接続された画素２０の発光期間制御用トランジスタＱｃのオンされる期間が決定される。そして、その分、第２の走査線Ｙ２に接続された画素２０の各有機ＥＬ素子ＯＬＥＤの積分された輝度が第１の走査線Ｙ１に接続された画素２０の有機ＥＬ素子ＯＬＥＤの積分された輝度に比べて更に小さくなる。
【００８９】
以下、同様にして、この第３のフレームにおける第３の走査線Ｙ３及び第４の走査線Ｙ４に対しても順次、Ｈレベルの走査信号ＳＣ３，ＳＣ４を順次出力する。そして、第３の走査線Ｙ３及び第４の走査線Ｙ４が選択される毎に電圧レベルが全て０ではない所定のレベルを有するデータ信号ＶＤ１〜ＶＤｍが出力される。
【００９０】
そして、各走査線Ｙ３，Ｙ４が選択された後毎に、前記と同様にして制御回路１１から輝度検出回路１５に電流測定信号Ｍが出力され、第３及び第４の発光期間制御信号Ｈ３，Ｈ４の立下りのタイミングがそれぞれ決定される。
【００９１】
この第３の発光期間制御信号Ｈ３の立下りのタイミングＴ３３は、先に出力した第２の発光期間制御信号Ｈ２より更に短い期間でＬレベルに立下る発光期間制御信号である。また、第４の発光期間制御信号Ｈ４の立下りのタイミングＴ３４は、先に出力した第３の発
光期間制御信号Ｈ３より更に短い期間でＬレベルに立下る発光期間制御信号である。ここで、第１の走査線Ｙ１に接続された画素２０の各有機ＥＬ素子ＯＬＥＤの積分された輝度をＬ１とする。同様に、第２の走査線Ｙ２に接続された画素２０の各有機ＥＬ素子ＯＬＥＤの積分された輝度をＬ２、第３の走査線Ｙ３に接続された画素２０の各有機ＥＬ素子ＯＬＥＤの積分された輝度をＬ３、第４の走査線Ｙ４に接続された画素２０の各有機ＥＬ素子ＯＬＥＤの積分された輝度をＬ４とする。すると、Ｌ１→Ｌ２→Ｌ３→Ｌ４の順に有機ＥＬ素子ＯＬＥＤの積分された輝度が小さくなる。
【００９２】
このようにすることによって、全ての画素２０の有機ＥＬ素子ＯＬＥＤの輝度に応じて選択された１走査線毎の有機ＥＬ素子ＯＬＥＤの積分された輝度を制御することができる。
【００９３】
尚、特許請求の範囲に記載の電気光学素子またはエレクトロルミネッセンス素子は、例えば、本実施形態においては、有機ＥＬ素子ＯＬＥＤに対応している。また、特許請求の範囲に記載の能動素子は、例えば、本実施形態においては駆動トランジスタＱｄに対応している。特許請求の範囲に記載のスイッチング素子は、例えば、本実施形態においては発光期間制御用トランジスタＱｃに対応している。特許請求の範囲に記載の信号線は、例えば、本実施形態においてはデータ線Ｘ１，Ｘ２，…Ｘｍに対応している。
【００９４】
また、特許請求の範囲に記載の電気光学装置は、例えば、本実施形態においては有機ＥＬディスプレイ１０に対応している。特許請求の範囲に記載の電圧増幅回路は、例えば、本実施形態においては増幅器３１に対応している。
【００９５】
前記実施形態によれば、以下のような特徴を得ることができる。
（１）前記実施形態では、１走査線を選択する毎に前記電源電流Ｉｏをサンプリングして同電源電流Ｉｏに応じたデジタル値を有するデジタル電圧信号ＤＳに変換する輝度検出回路１５を備えた。そして、発光期間制御回路１６はそのデジタル電圧信号ＤＳに対応した発光期間調整信号Ｆに応じて発光期間制御信号Ｈ１〜Ｈｎを生成し、その発光期間制御信号Ｈ１〜Ｈｎを対応する制御信号供給線Ｇ１〜Ｇｎに出力するようにした。そして、対応する制御信号供給線Ｇ１〜Ｇｎに接続された画素２０の発光期間制御用トランジスタＱｃがオン・オフ制御するようにした。この結果、画素２０の各有機ＥＬ素子ＯＬＥＤの発光期間を制御することができる。
【００９６】
従って、各駆動トランジスタＱｄの電圧−電流特性が崩れてしまうことはない。その結果、有機ＥＬ素子ＯＬＥＤの積分された輝度をデータ信号ＶＤ１〜ＶＤｍの信号レベルに応じて精度良く制御することができる。
【００９７】
（２）前記実施形態では、輝度検出回路１５は１走査線を選択する毎に前記電源電流Ｉｏをサンプリングしデジタル電圧信号ＤＳを生成するので、前記電源電流Ｉｏの変動に応じて直ちに積分された輝度を制御することができる。
【００９８】
（３）前記実施形態では、増幅器３１とＡ／Ｄ変換回路３２とで輝度検出回路１５を構成した。従って、増幅器３１に入力される電流値はほぼ無視できるので、その分、消費電力を抑制することができる。
（４）前記実施形態では、有機ＥＬディスプレイ１０が、走査線Ｙ１〜Ｙｎ（制御信号供給線Ｇ１〜Ｇｎ）方向に沿って赤色発光を示す有機ＥＬ素子、緑色発光を示す有機ＥＬ素子及び青色発光を示す有機ＥＬ素子を備えるフルカラー表示可能なものでは、各制御信号供給線に接続された各赤、緑及び青色発光を示す有機ＥＬ素子毎にその発光輝度が一斉に制御される。従って、各色毎に独立してその発光輝度を制御する場合に比べて、各電気光学素子の赤、緑及び青色のバランス（色バランス）が崩れることなく各電気光学素子の発
光期間を制御することが可能となる。
（第２実施形態）
次に、本発明を具体化した第２実施形態を図５に従って説明する。この第２実施形態の有機ＥＬディスプレイは、上記第１実施形態の有機ＥＬディスプレイ１０の表示パネル部１２を左右上下にそれぞれ４枚張り合わせて１枚の大型の表示パネル部を備えた有機ＥＬディスプレイを構成したものである。
【００９９】
即ち、本実施形態の有機ＥＬディスプレイ３０の表示パネル部３０ａは、その上下左右に４分割され、その図５中左下の表示エリアを第１表示パネル部１２Ａ、左上の表示エリアを第２表示パネル部１２Ｂ、右上の表示エリアを第３表示パネル部１２Ｃ、右上の表示エリアを第４表示パネル部１２Ｄとしている。
【０１００】
そして、各表示パネル部１２Ａ〜１２Ｄには、対応する第１〜第４制御回路１１Ａ〜１１Ｄ、第１〜第４走査線駆動回路１３Ａ〜１３Ｄ、第１〜第４データ線駆動回路１４Ａ〜１４Ｄ、第１〜第４輝度検出回路１５Ａ〜１５Ｄ及び第１〜第４発光期間制御回路１６Ａ〜１６Ｄが設けられている。
【０１０１】
そして、第１〜第ｎの走査線Ｙ１〜Ｙｎのうち、第２走査線駆動回路１３Ｂ及び第３走査線駆動回路１３Ｃはそれぞれ表示パネル部３０ａの上半分に配置された第１の走査線Ｙ１〜第ｉの走査線Ｙｉを線順次選択する。第１走査線駆動回路１３Ａ及び第４走査線駆動回路１３Ｄはそれぞれ表示パネル部３０ａの下半分に配置された第ｉ＋１の走査線Ｙｉ＋１〜第ｎの走査線Ｙｎを線順次選択する。
【０１０２】
また、第１〜第ｍのデータ線Ｘ１〜Ｘｍのうち、第１データ線駆動回路１４Ａ及び第２データ線駆動回路１４Ｂはそれぞれ表示パネル部３０ａの左半分に表示される画像のためのデータ信号ＶＤ１〜ＶＤｆを出力する。第３データ線駆動回路１４Ｃ及び第４データ線駆動回路１４Ｄはそれぞれ表示パネル部３０ａの右半分に表示される画像のためのデータ信号ＶＤｆ＋１〜ＶＤｍを出力する。
【０１０３】
このような構成を成した有機ＥＬディスプレイ３０では、第１輝度検出回路１５Ａは、図示しない電源線及び測定用抵抗素子を介して第１表示パネル部１２Ａに供給される電源電圧に応じて前記測定用抵抗素子に流れる電源電流Ｉｏを測定する。また、第２輝度検出回路１５Ｂは、第２表示パネル部１２Ｂにおける電源電流Ｉｏを測定する。同様に、第３輝度検出回路１５Ｃは第３表示パネル部１２Ｃにおける電源電流Ｉｏを、第４輝度検出回路１５Ｄは第４表示パネル部１２Ｄにおける電源電流Ｉｏをそれぞれ測定する。そして、各輝度検出回路１５Ａ〜１５Ｄは、区分された各表示パネル部毎の電源電流Ｉｏの電流レベルに応じたデジタル電圧信号ＤＳ１〜ＤＳ４を対応する第１〜第４制御回路１１Ａ〜１１Ｄに出力する。
【０１０４】
そして、第１制御回路１１Ａは、デジタル電圧信号ＤＳ１に基づいて第１表示パネル部１２Ａに配置された各有機ＥＬ素子の発光期間を決定する旨の第１発光期間調整信号Ｆ１を生成し第１発光期間制御回路１６Ａに出力する。これにより、第１実施形態と同様に、第１表示パネル部１２Ａの各有機ＥＬ素子は、その各駆動トランジスタの電圧−電流特性が崩れることなくデータ信号ＶＤ１〜ＶＤｆの信号レベルに応じて精度良く制御される。
【０１０５】
同様にして、第２制御回路１１Ｂは、デジタル電圧信号ＤＳ２に基づいて第２表示パネル部１２Ｂに配置された各有機ＥＬ素子の発光期間を決定する旨の第２発光期間調整信号Ｆ２を生成し第２発光期間制御回路１６Ｂに出力する。また同様に、第３制御回路１１Ｃは、デジタル電圧信号ＤＳ３に基づいて第３表示パネル部１２Ｃに配置された各有機ＥＬ素子の発光期間を決定する旨の第３発光期間調整信号Ｆ３を生成し第３発光期間制御回路
１６Ｃに出力する。また同様に、第４制御回路１１Ｄは、デジタル電圧信号ＤＳ４に基づいて第４表示パネル部１２Ｄに配置された各有機ＥＬ素子の発光期間を決定する旨の第４発光期間調整信号Ｆ４を生成し第４発光期間制御回路１６Ｄに出力する。
【０１０６】
この結果、各第２〜第４表示パネル部１２Ｂ〜１２Ｄの各有機ＥＬ素子は、前記第１表示パネル部１２Ａの各有機ＥＬ素子と同様に、その各駆動トランジスタの電圧−電流特性が崩れることなくデータ信号ＶＤ１〜ＶＤｍの信号レベルに応じて精度良く制御される。（第３実施形態）
次に、第１及び第２実施形態で説明した電気光学装置としての有機ＥＬディスプレイ１０，３０の電子機器の適用について図６に従って説明する。有機ＥＬディスプレイ１０，３０は、モバイル型のパーソナルコンピュータ、携帯電話、デジタルカメラ、デジタル放送のテレビ等種々の電子機器に適用できる。
【０１０７】
図６は、モバイル型パーソナルコンピュータの構成を示す斜視図を示す。図６において、パーソナルコンピュータ５０は、キーボード５１を備えた本体部５２と、前記有機ＥＬディスプレイ１０，３０を用いた表示ユニット５３とを備えている。この場合においても、有機ＥＬディスプレイ１０を用いた表示ユニット５３は前記第１の実施形態と同様な効果を発揮する。この結果、表示品位の優れた有機ＥＬディスプレイ１０を備えたモバイル型パーソナルコンピュータ５０を提供することができる。
【０１０８】
尚、発明の実施形態は、上記実施形態に限定されるものではなく、以下のように実施してもよい。
○上記第１及び第２実施形態では、測定用抵抗素子Ｒｖは、表示パネル部１２以外の位置に形成されているが、特にこれに限定されることはなく、測定用抵抗素子Ｒｖを表示パネル部１２上に形成してもよい。このようにすることによって、上記実施形態と同様の効果を得ることができる。
【０１０９】
○上記第１及び第２実施形態では、１色からなる有機ＥＬ素子ＯＬＥＤの画素２０を備えた有機ＥＬディスプレイ１０であったが、これに限定されるものではない。例えば、赤色、緑色及び青色の３色の有機ＥＬ素子ＯＬＥＤに対して各色用の画素２０を備えたＥＬディスプレイに適用しても良い。このとき、各色毎に輝度検出回路１５を設けるとともに、各色毎に電源電流Ｉｏに応じたデジタル電圧信号ＤＳを生成する。そして、その生成された色毎のデジタル電圧信号ＤＳに応じて各色毎の画素の発光期間制御用トランジスタＱｃをオン・オフ制御するようにする。このようにすることで、フルカラー表示可能な有機ＥＬディスプレイの輝度を精度良く制御することができる。
【０１１０】
また、輝度検出回路１５は、色毎に電源電流Ｉｏに応じた電位をデジタル変換してデジタル電圧信号ＤＳを生成し、そのデジタル電圧信号ＤＳに基づいて各色毎の画素の発光期間制御用トランジスタＱｃをオン・オフ制御するようにしている。従って、各画素の色バランスを崩すことなく有機ＥＬ素子ＯＬＥＤの輝度を制御することができる。この結果、表示品位の優れたフルカラー表示可能な有機ＥＬディスプレイを提供することができる。
【０１１１】
さらに、輝度検出回路１５は、赤、緑及び青色毎の各電源電流Ｉｏをそれぞれ各色毎のデジタル電圧信号ＤＳに変換してサンプリングし、制御回路１１は、その各色毎のデジタル電圧信号ＤＳを白色を表示した場合の電源電流に対応したデジタル電圧信号に換算するようにする。そして、制御回路１１は、その白色を表示した場合のデジタル電圧信号に基づいて、各有機ＥＬ素子の発光期間を決定する旨の発光期間調整信号Ｆを生成し、その生成した発光期間調整信号Ｆを発光期間制御回路１６に出力するようにしてもよい。
【０１１２】
このようにすることで、赤、緑及び青色のバランス（色バランス）を崩さないで各有機
ＥＬ素子の発光期間を制御することができる。
○上記第１及び第２実施形態では、輝度検出回路１５は１走査線を選択する毎に前記電源電流Ｉｏをデジタル変換してデジタル電圧信号ＤＳを生成するようにした。これを複数の走査線を選択する毎に電源電流Ｉｏをデジタル変換してデジタル電圧信号ＤＳを生成するようにしてもよい。このようにすることで、上記実施形態と同様の効果を得ることができる。
【０１１３】
○上記第１及び第２実施形態では、輝度検出回路１５を、前記有機ＥＬ素子ＯＬＥＤの陽極側に設けられたが、これに限定されるものではなく、有機ＥＬ素子ＯＬＥＤの陰極側に設けてもよい。このことにより、有機ＥＬディスプレイ１０のレイアウトを自由に行うことができる。
【０１１４】
○上記第１及び第２実施形態では、輝度検出回路１５は電源電流Ｉｏを電圧変換し増幅するために電圧増幅方式を使用したが、これに限定されるものではなく、例えば、トランスインピーダンス方式といった他の方式を使用して電源電流Ｉｏを電圧変換し増幅するようにしてもよい。このようにすることで、上記実施形態と同様の効果を得ることができる。
【０１１５】
○上記第１及び第２実施形態では、制御回路１１は１走査線毎に電源電流Ｉｏをサンプリングするようにした。これを、制御回路１１は前記デジタル電圧信号ＤＳのデジタル値が所定の値以上または以下になった場合、そのデジタル値に基づいた発光期間調整信号Ｆを出力するにしてもよい。このようにすることで制御回路１１の負担を低下させることができる。
【０１１６】
○上記第１及び第２実施形態では、常時、輝度を制御する構成にしたが、ユーザが設定したモードなどによってこの輝度を制御する機能を使用しないこともできるようにしてもよい。
【０１１７】
○上記第１及び第２実施形態では、１走査線を選択する毎に有機ＥＬ素子ＯＬＥＤが１回発光する有機ＥＬディスプレイ１０であったが、これに限定されるものではなく、１走査線を選択する毎に有機ＥＬ素子ＯＬＥＤが複数回発光する有機ＥＬディスプレイに適用してもよい。
【０１１８】
○上記各実施形態では、有機ＥＬ素子ＯＬＥＤを各画素２０に備えた有機ＥＬディプレイに具体化したが、有機ＥＬ素子ＯＬＥＤ以外の例えばＬＥＤやＦＥＤ等の発光素子のような電気光学素子を駆動する電気光学装置に具体化してもよい。つまり、電気光学素子の輝度が電源電圧によって変化する電気光学装置であればどのような電気光学素子を備えた電気光学装置に具体化してもよい。
【０１１９】
○上記各実施形態では、有機ＥＬディスプレイ１０は、そのデータ信号ＶＤ１〜ＶＤｍがアナログ電圧信号であったが、これを、アナログ電流信号であるデータ信号に応じてその駆動電流Ｉｅｌが制御される有機ＥＬディスプレイに適用してもよい。また、パルス変調方式（ＰＷＭ方式）の有機ＥＬディスプレイ１０においても、同様に適用してもよい。
【０１２０】
○上記第２実施形態では表示パネル部１２を左右上下にそれぞれ４枚張り合わせて１枚の大型の表示パネル部にした有機ＥＬディスプレイに適応したが、これに限定されるものではなく、たとえば、図７に示すように、表示パネル部１２を上下にそれぞれ張り合わせて１枚の大型の表示パネル部としたものに適用してもよい。このようにすることでも上記実施形態と同様の効果を得る。
【図面の簡単な説明】
【０１２１】
【図１】有機ＥＬディスプレイの電気的構成を示すブロック図である。
【図２】本発明の有機ＥＬディスプレイの回路構成図である。
【図３】画素の回路図である。
【図４】有機ＥＬディスプレイの駆動方法を説明するためのタイミングチャートである。
【図５】第２実施形態の有機ＥＬディスプレイの電気的構成を示すブロック図である。
【図６】第３実施形態を説明するためのモバイル型パーソナルコンピュータの構成を示す斜視図である。
【図７】別例の有機ＥＬディスプレイを説明するための図である。
【図８】従来の有機ＥＬディスプレイの回路構成図である。
【符号の説明】
【０１２２】
Ｉｅｌ…駆動電流、ＯＬＥＤ…電気光学素子としての有機ＥＬ素子、Ｑｄ…能動素子としての駆動トランジスタ、Ｑｃ…スイッチング素子としての発光期間制御用トランジスタ、ＶＯＥＬ…電源電圧、Ｘ１，Ｘ２，…Ｘｍ…信号線としてのデータ線、Ｙ１，Ｙ２，…，Ｙｎ…走査線、１０，３０…電気光学装置としての有機ＥＬディスプレイ、１５…輝度検出回路、２０…画素、３１…電圧増幅回路としての増幅器、３２…アナログ・デジタル変換回路、５０…電子機器としてのモバイル型のパーソナルコンピュータ。
【図１】
2005099713.tif 000003
【図２】
2005099713.tif 000004
【図３】
2005099713.tif 000005
【図４】
2005099713.tif 000006
【図５】
2005099713.tif 000007
【図６】
2005099713.tif 000008
【図７】
2005099713.tif 000009
【図８】
2005099713.tif 000010